(57)【要約】【課題】  低ランニングコスト化が実現でき、また低イニシャルコストで実現可能となる屋内型スキー場を提供すること。【解決手段】  自然降雪地域の傾斜地面１に、少なくとも屋根２を建造することで屋内施設３を設け、この屋内施設３の屋根２に雪搬入部４を設けて、この雪搬入部４から屋根２上の自然積雪５を屋内施設３内の前記傾斜地面１上に落下搬入し、この搬入した傾斜地面１上の雪５を整備することで滑走面６を形成する。【選択図】      図２
2005253519.tif 000002
【特許請求の範囲】
【請求項１】
自然降雪地域の傾斜地面に、少なくとも屋根を建造することで屋内施設を設け、この屋内施設の屋根に雪搬入部を設けて、この雪搬入部から屋根上の自然積雪を屋内施設内の前記傾斜地面上に落下搬入し、この搬入した傾斜地面上の雪を整備することで滑走面を形成したことを特徴とする屋内型スキー場。
【請求項２】
前記屋根に開閉自在な開口部を設けてこの開口部を前記雪搬入部とし、開放したこの開口部から屋根上の自然積雪を前記屋内施設内の前記傾斜地面上に落下搬入し得るように構成したことを特徴とする請求項１記載の屋内型スキー場。
【請求項３】
前記屋根は、段差を有する形状に形成すると共に、この段差を有する屋根の段差部に前記雪搬入部を設けたことを特徴とする請求項１，２のいずれか１項に記載の屋内型スキー場。
【請求項４】
前記屋根を階段状に形成すると共に、各屋根面を略水平面若しくは緩やかな傾斜面とし、この各屋根面間の前記各段差部に前記雪搬入部を設けて、各屋根面上の自然積雪を、各段差部の雪搬入部より前記屋内施設内の前記傾斜地面上に落下搬入し得るように構成したことを特徴とする請求項１〜３のいずれか１項に記載の屋内型スキー場。
【請求項５】
前記傾斜地面として既設スキー場の傾斜地面を採用したことを特徴とする請求項１〜４のいずれか１項に記載の屋内型スキー場。
【請求項６】
試用可能なウインタースポーツ用の商品を取り扱う店舗を並設したことを特徴とする請求項１〜５のいずれか１項に記載の屋内型スキー場。
【発明の詳細な説明】
【技術分野】
【０００１】
本発明は、室内でスキーやスノーボード等を楽しむことができる屋内型スキー場に関するものである。
【背景技術】
【０００２】
一般的な屋内型スキー場は、建造物内に滑走面（ゲレンデ）となる傾斜面が形成されている。
【０００３】
そして、この傾斜面の上面に、人工雪製造機によって製造された雪を降雪し積層することにより滑走面が形成されている。
【発明の開示】
【発明が解決しようとする課題】
【０００４】
このような従来の屋内型スキー場では、人工的に製造した雪を維持していくために、室内温度や湿度を調整し管理し続ける必要があるため、この温度・湿度管理設備の運転に要するエネルギー消費量が膨大でランニングコストが非常に高くかかってしまっている。
【０００５】
本発明は、この点、低ランニングコスト化が実現でき、また低イニシャルコストで実現可能となる画期的な屋内型スキー場を提供するものである。
【課題を解決するための手段】
【０００６】
添付図面を参照して本発明の要旨を説明する。
【０００７】
自然降雪地域の傾斜地面１に、少なくとも屋根２を建造することで屋内施設３を設け、この屋内施設３の屋根２に雪搬入部４を設けて、この雪搬入部４から屋根２上の自然積雪５を屋内施設３内の前記傾斜地面１上に落下搬入し、この搬入した傾斜地面１上の雪５を整備することで滑走面６を形成したことを特徴とする屋内型スキー場に係るものである。
【０００８】
また、前記屋根２に開閉自在な開口部４を設けてこの開口部４を前記雪搬入部４とし、開放したこの開口部４から屋根２上の自然積雪５を前記屋内施設３内の前記傾斜地面１上に落下搬入し得るように構成したことを特徴とする請求項１記載の屋内型スキー場に係るものである。
【０００９】
また、前記屋根２は、段差を有する形状に形成すると共に、この段差を有する屋根２の段差部７に前記雪搬入部４を設けたことを特徴とする請求項１，２のいずれか１項に記載の屋内型スキー場に係るものである。
【００１０】
また、前記屋根２を階段状に形成すると共に、各屋根面２Ａを略水平面若しくは緩やかな傾斜面とし、この各屋根面２Ａ間の前記各段差部７に前記雪搬入部４を設けて、各屋根面２Ａ上の自然積雪５を、各段差部７の雪搬入部４より前記屋内施設３内の前記傾斜地面１上に落下搬入し得るように構成したことを特徴とする請求項１〜３のいずれか１項に記載の屋内型スキー場に係るものである。
【００１１】
また、前記傾斜地面１として既設スキー場の傾斜地面１を採用したことを特徴とする請求項１〜４のいずれか１項に記載の屋内型スキー場に係るものである。
【００１２】
また、試用可能なウインタースポーツ用の商品を取り扱う店舗８を並設したことを特徴とする請求項１〜５のいずれか１項に記載の屋内型スキー場に係るものである。
【発明の効果】
【００１３】
本発明は上述のように構成したから、従来の屋内型スキー場設備に比べて、低イニシャルコストで設備を導入可能であると共に、著しい低ランニングコスト化が実現できる極めて実用性に秀れた画期的な屋内型スキー場となる。
【００１４】
また、請求項２記載の発明においては、雪を落下搬入させる雪搬入部を簡易に設計実現可能となり、しかも、例えば、夏期等の外気温が高い時期には雪搬入部を閉じておくことができるので、屋内施設内を低温に保持し易く、極めて良好に雪を長期保存可能となる一層実用性に秀れた構成の屋内型スキー場となる。
【００１５】
また、請求項３記載の発明においては、雪の搬入作業を行い易い雪搬入部の構成を簡易に設計実現可能となる一層実用性に秀れた構成の屋内型スキー場となる。
【００１６】
また、請求項４記載の発明においては、屋根面上の積雪の搬入作業を容易に且つ効率良く行うことができる一層実用性に秀れた構成の屋内型スキー場となる。
【００１７】
また、請求項５記載の発明においては、スキーやスノーボードの滑走に好適な傾斜度の滑走面を容易に形成することができ、しかも、近隣に既設のスキー場があるので、職員や、滑走面整備のための圧雪車や、パトロール用のスノーモービル等を確保し易く、その上、既設スキー場の地中給排水設備等をそのまま利用することができるし、安価な設備投資によって地面に融雪防止設備を設けることも可能となるなど、一層低イニシャルコスト、低ランニングコストの屋内型スキー場を実現可能となる。
【００１８】
また、請求項６記載の発明においては、客が屋内施設内で実際に商品を試してみてから、気に入った商品を選ぶことができる画期的なウインタースポーツ用品店が実現することになる。
【発明を実施するための最良の形態】
【００１９】
好適と考える本発明の実施形態（発明をどのように実施するか）を、図面に基づいて本発明の作用を示して簡単に説明する。
【００２０】
自然降雪地域の、例えばスキーやスノーボードの滑走に好適な傾斜度を有する傾斜地面１に、少なくとも屋根２を建造することで屋内施設３を設ける。
【００２１】
冬期に降雪があると、この屋内施設３の屋根２上に自然雪５が積もるが、この屋根２上の自然積雪５を雪搬入部４から屋内施設３内の前記傾斜地面１上に搬入落下し、この搬入落下した傾斜地面１上の雪５を整備することで滑走面６（ゲレンデ）を形成する。
【００２２】
そして、この屋内施設３内の滑走面６でスキーやスノーボードを楽しむことができる。
【００２３】
従って、本発明の屋内型スキー場によれば、自然の雪５を利用して滑走面６を形成するため、基本的に人工雪製造機は不要となり、それだけ経費が軽減する。
【００２４】
また、傾斜地面１への雪５の搬入は、単に、屋根２上から積雪５を屋内施設３内へと落下させるだけで良いため、この雪５の搬入を人為的に行うにしても、機械的に行うにしても、容易に行うことができる。
【００２５】
また、従来の屋内型スキー場では、傾斜面を人工的に建造しているため、常に建造物の構造強度に見合った積雪量（雪の重量）となるように管理を徹底する必要があったが、本発明の場合、雪５を支える傾斜面は地面１（大地）であるため、屋内施設３内に大量の雪５を貯蔵することが可能である。
【００２６】
そして、自然降雪５を大量に屋内施設３内に貯蔵しておくことで、屋内施設３内は、この大量の雪５によって自然と低温度に保たれ、簡単に融雪してしまうことがない。
【００２７】
従って、長期間にわたり特別な管理を要せずして大量の雪を保存できるため、雪５の維持に要する経費が著しく軽減する。
【００２８】
また、滑走面６の雪５が不足した際には、冬期であれば、屋根２上の積雪５を雪搬入部４から落下させるだけで簡単に補うことができるし、夏期等であれば、人工雪製造機を使用することで補える。尚、この人工雪製造機を使用した場合でも、常に人工雪製造機によって滑走面を維持する従来の屋内型スキー場設備と比べれば、この人工雪製造機使用に要する経費が著しく軽減する。
【００２９】
また、この際、温度・湿度管理を必要とする場合もあるが、この場合には従来と同様の温度・湿度管理設備を使用することで有効に雪５を維持することができる。尚、この温度・湿度管理設備を使用した場合でも、常に温度・湿度管理設備を利用して滑走面を維持する従来の屋内型スキー場設備と比べれば、必要な時だけ運転を行うことで対応できるためにこの温度・湿度管理設備に要する経費が著しく軽減する。
【００３０】
従って、一年中滑走可能で、且つ従来の屋内型スキー場と比べて極めて低ランニングコストな屋内型スキー場を実現できる。
【００３１】
また、従来の屋内型スキー場のような傾斜面を有する建造物を建造する必要がなく、自然の傾斜地面１上に少なくとも雪搬入部４を備えた屋根２を建造することだけで設備が完成するので、初期導入時の経費も軽減し、低イニシャルコストで設計実現可能な屋内型スキー場となる。
【００３２】
また、例えば、前記屋根２に開閉自在な開口部４を設けてこの開口部４を前記雪搬入部４とし、開放したこの開口部４から屋根２上の自然積雪５を前記屋内施設３内の前記傾斜地面１上に落下搬入し得るように構成すれば、雪５を落下搬入させることが可能な雪搬入部４を簡易に設計実現可能となり、しかも、例えば、外気温の高い夏期等でも雪搬入部４を閉塞しておくことで、屋内施設３内が外気の影響を受けにくくなって屋内施設３内を低温に保持し易くなるため、雪５を極めて良好に長期保存することができる。
【００３３】
また、例えば、前記屋根２は、段差を有する形状に形成すると共に、この段差を有する屋根２の段差部７に前記雪搬入部４を設ければ、特に、人力での雪５搬入作業を行うにあたっては、段差部７を指標にして屋根２上の雪５を搬送し易い上、この段差部７に雪搬入部４があることがわかるために、安全に雪５を落下搬入することができるなど、一層実用的となる。
【００３４】
また、例えば、前記屋根２を階段状に形成すると共に、各屋根面２Ａを略水平面若しくは緩やかな傾斜面とし、この各屋根面２Ａ間の前記各段差部７に前記雪搬入部４を設けて、各屋根面２Ａ上の自然積雪５を、各段差部７の雪搬入部４より前記屋内施設３内の前記傾斜地面１上に搬入落下し得るように構成すれば、特に、人力での雪５搬入作業を行うにあたっては、この作業を上記と同様に段差部７を指標にして容易に且つ安全に行うことができるし、略水平面若しくは緩やかな傾斜面となる各屋根面２Ａから段差部７の雪搬入部４へ積雪５を搬送し易いこととなり、しかも各屋根面２Ａ毎に分担して積雪５の搬入作業を効率良く行うことが可能となり、その上、搬入した雪５が一箇所にかたまらず、傾斜地面１に分散するので、後の滑走面６整備作業も容易に行うことができるなど、一層実用的となる。
【００３５】
また、例えば、前記傾斜地面１として既設スキー場の傾斜地面１を採用すれば、大量の自然降雪５を簡単に確保できるので、簡単に雪５の長期保存が可能となる上、スキーやスノーボードの滑走に好適な傾斜度の滑走面６を容易に形成することができ、しかも、例えば、近隣のスキー場とタイアップすることなどによって、スキー場の職員や、滑走面６整備のための圧雪車や、パトロール用のスノーモービル等を容易に確保できるし、これらを夏期等も活用することができるので、人件費をはじめ諸経費を軽減することができるなど、一層実用的となる。
【００３６】
また、既設スキー場の傾斜地面１を利用するため、既設の地中給排水設備等をそのまま利用することができるし、例えば、傾斜地面１に砂利を敷き詰める等の容易で安価な設備投資によって流水による融雪が防止できると共に、砂利の断熱作用によって地熱を遮断し高い融雪防止効果を得ることが可能となるなど、一層低イニシャルコストでの設備導入が可能となる。
【００３７】
また、例えば、試用可能なウインタースポーツ用の商品を取り扱う店舗８を並設すれば、客が商品を屋内施設３内で実際に試してから、気に入った商品を選ぶことができる極めて画期的なウインタースポーツ用品店を実現できることになる。
【実施例】
【００３８】
本発明の具体的な実施例について図面に基づいて説明する。
【００３９】
本実施例の屋内スキー場の形成方法は、自然降雪地域の傾斜地面１に、少なくとも屋根２を建造することで屋内施設３を設け、この屋内施設３の屋根２に雪搬入部４を設けて、この雪搬入部４から屋根２上の自然積雪５を屋内施設３内の前記傾斜地面１上に落下搬入し、この搬入した傾斜地面１上の雪５を整備することで滑走面６を形成するものである。
【００４０】
以下、具体的に説明すると、本実施例では、傾斜地面１として既設スキー場の任意の傾斜地面１を採用している。
【００４１】
屋内施設３は、図１に示すように、屋根２（天井）の他、前壁３Ａ、後壁（図示省略）、左右側壁３Ｂを建造し、また、内部を空洞として、スキーやスノーボードの滑走に支障のない構造の建造物としている。
【００４２】
このように、既設スキー場の傾斜地面１を採用したことにより、スキーやスノーボードの滑走に好適な傾斜度の滑走面６を容易に形成することができる。また、例えば、近隣のスキー場とタイアップすることなどによって、スキー場の職員や、滑走面６整備のための圧雪車や、パトロール用のスノーモービル等を容易に確保できるし、これらを夏期等も活用することができることで、人件費をはじめ諸経費を軽減することができる。
【００４３】
また、既設の地中給排水設備等をそのまま利用することができるので、初期導入コストが軽減する。
【００４４】
また、屋内施設３は、前後左右及び上下の全方位が傾斜地面１と屋根２と壁とで囲まれた閉塞構造としたため、この屋内施設３内の温度・湿度管理を行い易くなる。
【００４５】
また、本実施例では、傾斜地面１に砂利を敷き詰め、これにより流水による融雪を防止すると共に、砂利による地熱遮断作用によって、融雪を防止する構成としている。
【００４６】
本実施例では、屋根２に開閉自在な開口部４を設けて、この開口部４を前記雪搬入部４としている。
【００４７】
具体的には、屋根２は、段差を有する形状に形成し、この屋根２の段差部７に雪搬入部４たる開口部４を設けている。
【００４８】
更に詳しくは、屋根２を階段状に形成すると共に、階段状に配される各屋根面２Ａを略水平面とし、この各屋根面２Ａ間に形成される前記各段差部７たる垂直壁面７に前記開口部４を設けている。
【００４９】
また、各段差部７たる垂直壁面７には、この垂直壁面７の横幅方向に所定間隔を置いた数箇所（三箇所）に開口部４を形成した場合を示している。
【００５０】
また、この雪搬入部４の開閉構造は、詳しく図示していないが、各開口部４に開閉部（図示省略）を開閉自在に設けた構造としている。
【００５１】
従って、この開閉部を開放することで開口部４より屋根面２Ａ上の積雪５を屋内施設３内の傾斜地面１上に雪５を搬入落下させることができ、外気温が高い時等は、開閉部を閉塞しておくことで、屋内施設３内の全方位が閉塞された空間となって屋内施設３内の気温上昇を抑制することができるようにしている。
【００５２】
また、各屋根面２Ａが略水平面であるため、この水平面上で積雪５を雪搬入部４に向かって搬送し易いことになる（図２参照）。
【００５３】
尚、この屋根面２Ａ上の積雪５の雪搬入部４への搬送は、人力で行っても良いし、機械的な搬送機構を屋根面２Ａに設けて自動的に行われるように構成しても良いし、その他の手段で行っても良い。
【００５４】
また、各屋根面２Ａを、雪搬入部４が傾斜下方側となる緩やかな傾斜面としても良く、このような屋根面２Ａに構成すると、積雪５の雪搬入部４への搬送が一層容易に行われることとなる。
【００５５】
また、本実施例では、屋内施設３の側部に、第二の雪搬入部14を設けている。
【００５６】
具体的には、図１に示すように、屋内施設３の左右側壁３Ｂの下方に、この屋内施設３の前後方向に所定間隔を置いて多数の開口部14を設けて、この各開口部14を雪搬入部14としている。
【００５７】
また、この左右側壁３Ｂの雪搬入部14も、開閉部（図示省略）を設けて開閉自在に構成している。
【００５８】
従って、この開閉部を開放することで、側壁３Ｂの雪搬入部14からも屋内施設３周囲の積雪５を搬入することができ（図３参照）、また、屋内施設３内の温度保持時には、開閉部を閉塞することができる構成としている。
【００５９】
また、この側壁３Ｂの雪搬入部14からの雪５の搬入作業は、人力で行っても良いし、搬送機構等を設けて自動的に行われる構成としても良いし、除雪車等を利用して行っても良いし、その他の手段で行っても良い。
【００６０】
また、この雪搬入部14は、屋内施設３の前後方向に所定間隔を置いて多数設けたため、この多数の雪搬入部14から搬入した雪５は一箇所にかたまらず、傾斜地面１に分散して搬入されているので、後の滑走面６整備作業が容易に行われることになる構成としている。
【００６１】
よって、本実施例では、屋根２の雪搬入部４と側壁３Ｂの雪搬入部14とから、非常に効率良く傾斜地面１上に雪５を搬入することができる構成としている。
【００６２】
従って、本実施例によれば、従来の屋内型スキー場のような傾斜面を有する建造物を建造する必要がなく、自然の傾斜地面１上に雪搬入部４を備えた屋内施設３を建造することだけで設備が完成するので、初期導入時の経費が軽減し、低イニシャルコストで設計実現可能な屋内型スキー場となる。
【００６３】
また、本実施例によれば、雪５を支える床面は、地面（大地）であるため、従来までの屋内型スキー場施設のように床面の強度に応じた積雪量とする必要がなく、屋内施設３内には大量の雪５を貯蔵しておくことができる。即ち、大量の雪５を貯蔵しておくことによって、屋内施設３内の温度も低温に保つことが可能となり、空調設備等の温度・湿度管理設備を利用せずとも、長期間にわたって大量の雪を保存でき、冬期以外でも屋内施設３内でスキーやスノーボードを楽しむことが可能となる。尚、スキー場のある地域に本屋内型スキー場設備を建造したため、簡単に大量の自然雪５を確保できる。
【００６４】
また、滑走面６の雪５が不足した際には、冬期であれば、屋根２上の積雪５を雪搬入部４から落下させるだけで簡単に補うことができるし、外気温の高い夏期等であれば、人工雪製造機を併用することで補える。尚、この人工雪製造機を併用する場合でも、常に人工雪製造機によって滑走面を維持する従来の屋内型スキー場設備と比べれば、この人工雪製造機利用に要する経費は著しく軽減する。また、この場合には、温度・湿度管理設備を利用することが雪５の維持に有効であるが、これを利用したとしても、常に温度・湿度管理設備を利用して滑走面を維持する従来の屋内型スキー場設備と比べれば、必要な時だけ温度・湿度管理設備の運転を行うことで対応できるために、この温度・湿度管理設備利用に要する経費は著しく軽減する。尚、予め、温度・湿度管理設備を備えた屋内施設３を計画して建造することが好ましく、この温度・湿度管理設備を具備した屋内施設３としても、人工の傾斜面を建造する従来の屋内型スキー場設備と比べると、イニシャルコストは低減する。
【００６５】
また、本実施例では、屋内施設３に、試用可能なウインタースポーツ用の商品を取り扱う店舗８を並設している。
【００６６】
具体的には、店舗８は、スポーツ用品専門店或いは、スポーツ用品も取り扱う総合店等が好ましく、スキー板やスノーボード板やスキーブーツやスノーボードブーツやストック等を、客に対し試験的に貸し出しする営業形態をとる。
【００６７】
客は、この店舗８で借りた商品を、並設する屋内施設３の滑走面６で実際に試乗する等して使用してみてから、気に入った商品を選んで購入することができるようにする。
【００６８】
従って、一年中商品を試用可能で、しかも天候に左右されないゲレンデ（本実施例の屋内型スキー場）を保有した、従来にないウインタースポーツ用品店が実現できることになる。
【００６９】
尚、本発明は、本実施例に限られるものではなく、各構成要件の具体的構成は適宜設計し得るものである。
【図面の簡単な説明】
【００７０】
【図１】本実施例の概略的な外観図である。
【図２】本実施例の説明側断面図である。
【図３】本実施例の説明側面図である。
【符号の説明】
【００７１】
１  傾斜地面
２  屋根
２Ａ  屋根面
３  屋内施設
４  雪搬入部（開口部）
５  雪
６  滑走面
７  段差部
８  店舗
【図１】
2005253519.tif 000003
【図２】
2005253519.tif 000004
【図３】
2005253519.tif 000005